(57)【要約】【課題】データ放送からの字幕情報及び番組情報の取得を自動的に切り替えて、字幕情報と番組情報の両方とも取得することが可能な付属情報取得装置を提供する。【解決手段】チャンネル選局を行う選局手段と、選局手段からの映像信号から字幕情報または番組情報を抽出する抽出手段と、抽出手段からの番組情報中に含まれる伝送時間帯情報を保持する保持手段とを備え、抽出手段は、保持手段に保持された伝送時間帯に番組情報の取得を行う。【選択図】　図１
2004056545.tif 000002
【特許請求の範囲】
【請求項１】
チャンネル選局を行う選局手段と、前記選局手段からの映像信号から字幕情報または番組情報を抽出する抽出手段と、前記抽出手段からの番組情報中に含まれる伝送時間帯情報を保持する保持手段とを備え、前記抽出手段は、前記保持手段に保持された伝送時間帯に番組情報の取得を行うことを特徴とする付属情報取得装置。
【請求項２】
前記抽出手段は、前記保持手段に保持された伝送時間帯のうち所定の時間帯にのみ番組情報の取得を行うことを特徴とする請求項１記載の付属情報取得装置。
【請求項３】
字幕情報を抽出できるか否かの情報を保持する字幕情報保持手段を有し、前記抽出手段は、前記字幕情報保持手段に保持された情報から字幕情報を抽出できないと判断した場合に番組情報の取得を行うことを特徴とする請求項１記載の付属情報取得装置。
【請求項４】
前記保持手段は、前記抽出手段からの番組情報中に含まれる字幕放送の有無を示す情報を保持しており、前記抽出手段は、前記保持手段に保持された情報から字幕放送が行われていると判断した場合に字幕情報の取得を行うことを特徴とする請求項１記載の付属情報取得装置。
【発明の詳細な説明】
【０００１】
【発明の属する技術分野】
本発明は、データ放送を受信し表示することが可能な付属情報取得装置に関し、更に詳しくは、データ放送中に含まれる番組情報と字幕情報の両方を自動的に取得することが可能な付属情報取得装置に関する。
【０００２】
【従来の技術】
近年、地上波放送の垂直帰線消去期間を利用して、文字やプログラム等のデータを送信するデータ放送サービスが開始されており、受信側では、データ放送を受信するために、図４に示すような付属情報取得装置を用意している。
【０００３】
従来の付属情報取得装置は、利用者がリモコン等の入力手段を用いて字幕放送を視聴するかあるいは番組情報を抜き取るかを選択する選択部４０１と、選択部４０１からの選択情報に基づいた選局を行う選局部４０２と、選局部４０２からの放送信号から映像信号を抽出する映像選択部４０３と、映像選択部４０３からの映像信号から字幕情報あるいは番組情報を抜き取るＶＢＩ抜取部４０４と、ＶＢＩ抜取部４０４からの字幕情報に所定の処理を施し表示データとして出力する字幕情報処理部４０５と、ＶＢＩ抜取部４０４からの番組情報に所定の処理を施し表示データとして出力する番組情報処理部４０６と、番組情報を記憶する番組情報記憶部４０７と、映像選択部４０３からの映像信号に所定の処理を施す映像処理部４０８と、字幕情報処理部４０５あるいは番組情報処理部４０６からの表示データと映像処理部４０８からの映像信号を合成する映像合成部４０９及び映像合成部４０９からの合成された映像信号を画面表示する映像表示部４１０から構成される。
【０００４】
【発明が解決しようとする課題】
しかしながら上記の従来の付属情報取得装置の構成では、利用者自身が字幕放送の視聴を優先するか番組情報の抜き取りを優先させるかのどちらかを選択しなければならなかった。そのため、字幕放送の視聴を選択した場合は、字幕放送受信中は番組情報を取得することができず、一方、番組情報の抜き取りを選択した場合は、送信側が字幕放送を送出中にも関らず字幕放送を視聴することができなかった。
【０００５】
本発明は、上記問題点を解決するもので、予め設定された抜取優先情報と番組情報中に含まれる所定の条件から優先的に取得する情報を選択することにより、字幕情報と番組情報の取得を自動的に切り替えることが可能な付属情報取得装置を提供することを目的とする。
【０００６】
【課題を解決するための手段】
本発明の実施の形態１に係る付属情報取得装置は、チャンネル選局を行う選局手段と、選局手段からの映像信号から字幕情報または番組情報を抽出する抽出手段と、抽出手段からの番組情報中に含まれる伝送時間帯情報を保持する保持手段とを備え、抽出手段は、保持手段に保持された伝送時間帯に番組情報の取得を行うことを特徴とする。
【０００７】
また、本発明の実施の形態２に係る付属情報取得装置は、実施の形態１の付属情報取得装置の構成において、前記抽出手段は、前記保持手段に保持された伝送時間帯のうち所定の時間帯にのみ番組情報の取得を行うことを特徴とする。
【０００８】
また、本発明の実施の形態３に係る付属情報取得装置は、実施の形態１の付属情報取得装置の構成において、字幕情報を抽出できるか否かの情報を保持する字幕情報保持手段を有し、抽出手段は、字幕情報保持手段に保持された情報から字幕情報を抽出できないと判断した場合に番組情報の取得を行うことを特徴とする。
【０００９】
また、本発明の実施の形態４に係る付属情報取得装置は、保持手段は、抽出手段からの番組情報中に含まれる字幕放送の有無を示す情報を保持しており、抽出手段は、保持手段に保持された情報から字幕放送が行われていると判断した場合に字幕情報の取得を行うことを特徴とする。
【００１０】
【発明の実施の形態】
（実施の形態１）
本発明の実施の形態１に係る付属情報取得装置の構成を示すブロック図を図１に示す。付属情報取得装置は、選択部１０１と、選局部１０２と、映像選択部１０３と、ＶＢＩ抜取部１０４と、字幕情報処理部１０５と、番組情報処理部１０６と、番組情報記憶部１０７と、映像処理部１０８と、映像合成部１０９と、映像表示部１１０及び伝送時間選択部１１１から構成される。ここで、付属情報取得装置は、本実施の形態１で示す処理とは別処理において、所定の間隔で番組情報の取得を行っているとする。
【００１１】
選択部１０１は、利用者からの抜取優先情報を記憶しており、当該抜取優先情報と伝送時間選択部１１１からの番組情報優先取得通知から選択すべき情報を決定し、決定された情報を選択情報として選局部１０２へと出力する。
【００１２】
選局部１０２は、選択部１０１からの選択情報に基づいた選局を行う。そして、取得した放送信号に高周波処理や復調処理等の処理を行い、映像選択部１０３へと出力する。
【００１３】
映像選択部１０３は、選局部１０２からの放送信号から映像信号を抽出し、当該映像信号をＶＢＩ抜取部１０４及び映像処理部１０８へと出力する。
【００１４】
ＶＢＩ抜取部１０４は、映像選択部１０３からの映像信号から字幕情報あるいは番組情報を抜き取る。字幕情報処理部１０５は、ＶＢＩ抜取部１０４からの字幕情報に所定の処理を施し表示データとして映像合成部１０９へと出力する。
【００１５】
番組情報処理部１０６は、ＶＢＩ抜取部１０４からの番組情報を番組情報記憶部１０７へと出力する。また、番組情報中に含まれている伝送情報を伝送時間選択部１１１へと出力する。ここで、伝送情報とは番組情報を伝送する時間帯を示す情報であり、通常、１日に４つの時間帯が設定されている。更に、利用者から番組情報表示要求があった場合に、番組情報記憶部１０７から番組情報を取得し、表示データとして映像合成部１０９へと出力する。
【００１６】
番組情報記憶部１０７は、例えば、フラッシュメモリー、不揮発性メモリー、ＳＤカード、ＭＭＣカード、ＲＡＭ等であり、番組情報処理部１０６からの番組情報を記憶する。ここで、記憶するデータは、圧縮、非圧縮を問わない。
【００１７】
映像処理部１０８は、映像選択部１０３からの映像信号に所定の処理を施し、当該映像信号を映像合成部１０９へと出力する。
【００１８】
映像合成部１０９は、映像処理部１０８からの映像信号と、字幕情報処理部１０５からの字幕情報または番組情報処理部１０６からの番組情報とを合成する。
【００１９】
映像表示部１１０は、例えば、ＣＲＴ（直視管）、ＰＴＶ、液晶、ＰＤＰ、ＤＬＴ等の表示装置であり、映像合成部１０９からの合成された映像信号を画面表示する。
【００２０】
伝送時間選択部１１１は、番組情報処理部１０６からの伝送情報を基に、番組情報が伝送される時間帯になったと判断した場合、番組情報優先取得通知を選択部１０１へと出力する。
【００２１】
以上のように、本実施の形態１の付属情報取得装置によれば、利用者が抜取優先情報として「字幕情報」を設定している場合でも、番組情報伝送時間帯には番組情報を取得することが可能となる。
【００２２】
また、抜取優先情報として「番組情報」を設定している場合において、更に、「当日の番組情報の抜き取りを１日に１回にする」という設定を追加することにより、番組情報の取得回数を減らすとともに字幕情報の取得時間を増やすことが可能となる。
【００２３】
なお、上記場合の１回の抜き取り時間帯を、早朝の時間帯（例えば、午前５時から午前６時）に設定することにより、利用者が字幕放送を視聴中に番組情報の抜き取り優先に切り替えるケースを少なくすることも可能となる。
【００２４】
更に、番組情報の取得処理中に、アイコン表示、ワーニング表示、音声合成、ＬＥＤ表示等のメッセージ情報を画面出力あるいは音声出力する構成とすれば、番組情報の取得処理が行われているということを明示的に利用者に提示することも可能となる。
【００２５】
（実施の形態２）
本発明の実施の形態２に係る付属情報取得装置の構成を示すブロック図を図２に示す。付属情報取得装置は、選択部２０１と、選局部１０２と、映像選択部１０３と、ＶＢＩ抜取部１０４と、字幕情報処理部２０２と、番組情報処理部２０５と、番組情報記憶部１０７と、映像処理部１０８と、映像合成部１０９と、映像表示部１１０と、字幕情報選択部２０３及びＶＢＩ情報選択部２０４から構成される。ここで、図１と同一符号が付してある部分は、図１と同様の機能を有するため説明を省略し、本実施の形態の特徴となる部分についてのみ説明する。
【００２６】
選択部２０１は、利用者からの抜取優先情報として「字幕放送」を記憶しており、当該抜取優先情報とＶＢＩ情報選択部２０４からの番組情報優先取得通知から選択すべき情報を決定し、決定された情報を選択情報として選局部１０２へと出力する。
【００２７】
字幕情報処理部２０２は、ＶＢＩ抜取部１０４からの字幕情報を映像合成部１０９及び字幕情報処理部２０３へと出力する。
【００２８】
字幕情報選択部２０３は、選択部２０１において利用者が設定する抜取優先情報とは別に、字幕放送を受信した場合に字幕情報を抜き取る設定となっているか否かの情報を保持しており、当該情報と字幕情報処理部２０２からの情報から字幕情報を取得できるか否かを判断し、当該判断結果をＶＢＩ情報選択部２０４へと出力する。
【００２９】
ＶＢＩ情報選択部２０４は、字幕情報選択部２０３からの情報を基に、字幕放送受信中にも関らず字幕情報を抜き取ることができないと判断した場合、番組情報の抜き取りを優先的に行うために番組情報優先取得通知を選択部２０１へと出力する。
【００３０】
番組情報処理部２０５は、ＶＢＩ抜取部１０４からの番組情報を番組情報記録部１０７及び映像合成部１０９へと出力する。
【００３１】
以上のように、本実施の形態２の付属情報取得装置によれば、字幕放送を受信した場合であっても字幕情報を抜き取ることができない設定である場合は、優先的に番組情報を取得することが可能となる。
【００３２】
（実施の形態３）
本発明の実施の形態３に係る付属情報取得装置の構成を示すブロック図を図３に示す。付属情報取得装置は、選択部３０１と、選局部１０２と、映像選択部１０３と、ＶＢＩ抜取部１０４と、字幕情報処理部１０５と、番組情報処理部３０２と、番組情報記憶部１０７と、映像処理部１０８と、映像合成部１０９と、映像表示部１１０と、字幕情報選択部３０３及びＶＢＩ情報選択部３０４から構成される。ここで、図１と同一符号が付してある部分は、図１と同様の機能を有するため説明を省略し、本実施の形態の特徴となる部分についてのみ説明する。
【００３３】
選択部３０１は、利用者からの抜取優先情報として「番組放送」を記憶しており、当該抜取優先情報とＶＢＩ情報選択部３０４からの字幕情報優先取得通知から選択すべき情報を決定し、決定された情報を選択情報として選局部１０２へと出力する。
【００３４】
番組情報処理部３０２は、ＶＢＩ抜取部１０４からの番組情報を番組情報記憶部１０７、字幕情報選択部３０３及び映像合成部１０９へと出力する。
【００３５】
字幕情報選択部３０３は、番組情報処理部３０２からの番組情報に字幕放送タグが含まれているか否かを判断し、当該判断結果をＶＢＩ情報選択部３０４へと出力する。
【００３６】
ＶＢＩ情報選択部３０４は、字幕情報選択部３０３からの情報を基に、字幕放送が行われている時間帯になったと判断した場合、字幕情報優先取得通知を選択部３０１へと出力する。
【００３７】
以上のように、本実施の形態３の付属情報取得装置によれば、取得された番組情報から字幕放送が行われている時間帯を判断することにより、通常は番組情報を受信しておき、字幕放送が行われている時間帯になったときのみ字幕放送を受信するといったことが可能となる。
【００３８】
なお、字幕放送タグに代って、タイトル情報の文字列から字幕放送を検索する構成としても同様の効果を得ることができる。
【００３９】
【発明の効果】
以上説明したように、本発明の付属情報取得装置によれば、利用者が設定した抜取優先情報、付属情報取得装置内で予め設定された字幕情報を抜き取るか否かの情報及び番組情報中の字幕放送タグを利用することにより、データ放送からの字幕情報及び番組情報の取得を自動的に切り替えて、字幕情報と番組情報の両方とも取得することが可能となる。
【図面の簡単な説明】
【図１】本発明の実施の形態１における付属情報取得装置の構成を示すブロック図
【図２】本発明の実施の形態２における付属情報取得装置の構成を示すブロック図
【図３】本発明の実施の形態３における付属情報取得装置の構成を示すブロック図
【図４】従来の付属情報取得装置の構成を示すブロック図
【符号の説明】
１０１、２０１、３０１、４０１　選択部
１０２、４０２　選局部
１０３、４０３　映像選択部
１０４、４０４　ＶＢＩ抜取部
１０５、２０２、４０５　字幕情報処理部
１０６、２０５、３０２、４０６　番組情報処理部
１０７、４０７　番組情報記憶部
１０８、４０８　映像処理部
１０９、４０９　映像合成部
１１０、４１０　映像表示部
１１１　伝送時間選択部
２０３、３０３　字幕情報選択部
２０４、３０４　ＶＢＩ情報選択部
【図１】
2004056545.tif 000003
【図２】
2004056545.tif 000004
【図３】
2004056545.tif 000005
【図４】
2004056545.tif 000006